(57)【要約】      （修正有）【課題】専用の測定機器を使用することなく、ＤＶＩ信号を高精度で評価できるＤＶＩ信号評価装置と信号評価方法を提供する。【解決手段】ＤＶＩ規格に基づいた映像信号を生成する評価対象機器１からシリアルのＤＶＩケーブル３を介して信号評価装置２に接続され、比較回路７へ入力されたパラレルのＤＶＩ信号を、比較回路７でＤＶＩ信号に対応した基準データと比較して、該ＤＶＩ信号の誤りとされた回数をカウントすることにより判定評価する。【選択図】図１
2008022440.tif 000002
【特許請求の範囲】
【請求項１】
ＤＶＩ規格に基づいた映像信号を生成する評価対象機器と、
この評価対象機器と映像信号接続ケーブルであるＤＶＩケーブルを介して接続され、前記評価対象機器からシリアルのＤＶＩ信号を入力し、パラレルに変換するレシーバと、
評価するＤＶＩ信号に対応した基準データを表示イメージ通りに格納する第１のメモリと、
前記レシーバでパラレルに変換されたＤＶＩ信号と前記基準データとを入力して比較する比較回路と、
前記比較回路での比較結果から、前記ＤＶＩ信号が誤りとされた回数をカウントするカウンタと、
前記カウンタでのカウント結果を格納する第２のメモリとを
備えたことを特徴とするＤＶＩ信号評価装置。
【請求項２】
前記比較回路での比較は、前記基準データと前記ＤＶＩ信号の１ピクセルにおけるＲＧＢの各ビット単位で行うことを特徴とする請求項１記載のＤＶＩ信号評価装置。
【請求項３】
前記カウンタのカウント値から、表示画面の特定座標におけるノイズとなりやすいＲＧＢ列を判別することを特徴とする請求項１記載のＤＶＩ信号評価装置。
【請求項４】
前記比較回路と前記カウンタとは、ＦＰＧＡに形成されていることを特徴とする請求項１記載のＤＶＩ信号評価装置。
【請求項５】
ＤＶＩ規格に基づいた映像信号を生成する評価対象機器のＤＶＩ信号評価方法であって、
評価するＤＶＩ信号に対応した基準データを表示イメージ通りに格納するステップと、
該評価対象機器に接続されたＤＶＩケーブルを介して、シリアルのＤＶＩ信号を入力するステップと、
前記シリアルのＤＶＩ信号をパラレルのＤＶＩ信号に変換するステップと、
前記変換ステップで変換されたパラレルのＤＶＩ信号を比較手段へ入力するステップと、
前記比較手段へ予め格納されている基準データを読み出すステップと、
前記比較手段で前記基準データと前記パラレルのＤＶＩ信号とを比較して正誤判定し、かつ、誤結果をカウントする判定ステップと
前記判定ステップによる誤結果のカウント値を保存するステップと
を含むことを特徴とするＤＶＩ信号評価方法。
【発明の詳細な説明】
【技術分野】
【０００１】
本発明は、各種ディスプレイ装置の表示の際に用いられているＤＶＩ（Ｄｉｇｉｔａ１  Ｖｉｓｕａ１  Ｉｎｔｅｒｆａｃｅ）信号を評価するＤＶＩ信号評価装置と信号評価方法に関する。
【背景技術】
【０００２】
近年、テレビジョンチューナ、ビデオ再生装置、パーソナルコンピュータ装置本体などの映像信号源と、モニタ受像機などの映像表示装置とを接続させる場合に、デジタルデータで映像データを表示装置に伝送させるＤＶＩ規格と称して規格化されている。
【０００３】
このＤＶＩ規格は、映像データを、原色信号Ｒ、Ｇ、Ｂのそれぞれを画素（ピクセル）単位でデジタル化したデータとして、一般にコンピュータ等の映像信号源からディスプレイにデジタル形式でシリアル伝送するようにしたもので、高品質の画像を伝送して表示させることができる。
【０００４】
また、画素単位の映像データであるため、表示装置側では受信した映像データで直接表示ドライバを駆動させることができ、比較的簡単な処理構成で表示などを行うことができる。
【０００５】
例えば、映像データだけを伝送するシステム構成の場合には、図７に示すように、評価対象機器である映像信号源３１とディスプレイ装置３２とを、ＤＶＩ規格のケーブル３３で接続して、このケーブル３３でＤＶＩ規格で符号化された映像データを伝送するようにすれば、映像信号源３１からディスプレイ装置３２に映像データを伝送することができる（例えば、特許文献１を参照）。
【０００６】
ＤＶＩ規格に準拠した機器では、機器が正しくＤＶＩ規格に準拠しているか否かを評価するために、ＤＶＩ  Ｔｅｓｔ  ａｎｄ  Ｍｅａｓｕｒｅｍｅｎｔ  Ｇｕｉｄｅ（以降、Ｇｕｉｄｅという）に基づき、信号評価装置を用いてＤＶＩ信号を測定し、評価している。
【０００７】
つまり、機器の設計・開発部門では、信号評価装置を用いてＧｕｉｄｅに記載されているＴｒａｎｓｍｉｔｔｅｒ  Ｔｅｓｔ  Ｍｅａｓｕｒｅｍｅｎｔｓ，Ｒｅｃｅｉｖｅｒ  Ｔｅｓｔ  Ｍｅａｓｕｒｅｍｅｎｔｓ，あるいは、Ｃａｂ１ｅ  Ａｓｓｅｍｂ１ｙ  Ｔｅｓｔ  Ｍｅａｓｕｒｅｍｅｎｔｓを目的にあわせて実施し、当該機器がＤＶＩ規格の要件を満たしていることを確認している(例えば、非特許文献１を参照)。
【０００８】
なお、ＤＶＩ信号の測定に際しては、ＤＶＩ信号は、最大データ転送レートが１．６５Ｇｂｐｓであり、非常に高速なシリアルインターフェースであることから、高性能の測定機器（オシロスコープ、信号ジェネレータ、テスト・フィクスチャ）で、かつ、精度の高い差動プローブが必要となる。
【０００９】
また、１０−９ピクセル・エラー・レートを要求されているため、実質１０億回もの測定回数（データの取込み回数）を必要とするが、測定機器のハードウエアの制約や時間の制約上から実際上、実現するのは難しい。
【００１０】
また、従来の測定機器（オシロスコープ等）を使った測定方法では、シリアルのＤＶＩ信号波形を、目視確認や専用ソフトで統計学的に評価するため、最終的にディスプレイ上に入力するパラレルのＤＶＩ信号自体を評価することはできない。
【特許文献１】特開２００２−２３２３７７号公報
【非特許文献１】ＤＶＩ  Ｔｅｓｔ  ａｎｄ  Ｍｅａｓｕｒｅｍｅｎｔ  Ｇｕｉｄｅ（２００１．２．２５，ＤＤＷＧ  Ｅ１ｅｃｔｒｉｃａ１  Ｔｅｓｔ  Ｗｏｒｋｉｎｇ  Ｇｒｏｕｐ）
【発明の開示】
【発明が解決しようとする課題】
【００１１】
上述のように、当該機器がＤＶＩ規格に準拠していることを、信号評価装置によりＤＶＩ信号を測定することにより確認する際、ＤＶＩ信号は、最大データ転送レートが１．６５Ｇｂｐｓであり、非常に高速なシリアルインターフェースであることから、高性能の信号評価装置としての測定機器（オシロスコープ、信号ジェネレータ、テスト・フィクスチャ）で、かつ、精度の高い差動プローブが必要となる。
【００１２】
また、１０−９ピクセル・エラー・レートを要求されているため、実質１０億回もの測定回数（データの取込み回数）を必要とするが、測定機器のハードの制約や時間の制約上から実際上、実現するのは難しい。
【００１３】
また、従来の測定機器（オシロスコープ等）を使った測定方法では、シリアルのＤＶＩ信号波形を、目視確認や専用ソフトで統計学的に評価するため、最終的にディスプレイ上に入力するパラレルのＤＶＩ信号自体を評価することはできない。
【００１４】
本発明は、これらの事情を考慮してなされたもので、専用の測定機器を使用することなく、最終的にディスプレイ上に入力されるパラレルのＤＶＩ信号自体を、各信号をそれぞれ同時に比較、検討し評価することができる高精度のＤＶＩ信号評価装置と信号評価方法を提供することを目的としている。
【課題を解決するための手段】
【００１５】
本発明の一態様によれば、ＤＶＩ規格に基づいた映像信号を生成する評価対象機器と、
この評価対象機器と映像信号接続ケーブルであるＤＶＩケーブルを介して接続され、前記評価対象機器からシリアルのＤＶＩ信号を入力し、パラレルに変換するレシーバと、
評価するＤＶＩ信号に対応した基準データを表示イメージ通りに格納する第１のメモリと、
前記レシーバでパラレルに変換されたＤＶＩ信号と前記基準データとを入力して比較する比較回路と、
前記比較回路での比較結果から、前記ＤＶＩ信号が誤りとされた回数をカウントするカウンタと、
前記カウンタでのカウント結果を格納する第２のメモリとを
備えたことを特徴とするＤＶＩ信号評価装置が提供される。
【００１６】
また、本発明の一態様にかかるＤＶＩ信号評価装置によれば、前記比較回路での比較は、前記基準データと前記ＤＶＩ信号の１ピクセルにおけるＲＧＢの各ビット単位で行うことを特徴とする。
【００１７】
また、本発明の一態様にかかるＤＶＩ信号評価装置によれば、前記カウンタのカウント値から、表示画面の特定座標におけるノイズとなりやすいＲＧＢ列を判別することを特徴とする。
【００１８】
また、本発明の一態様にかかるＤＶＩ信号評価装置によれば、前記比較回路と前記カウンタとは、ＦＰＧＡに形成されていることを特徴とする。
【００１９】
さらに、本発明の別の一態様によれば、ＤＶＩ規格に基づいた映像信号を生成する評価対象機器のＤＶＩ信号評価方法であって、
評価するＤＶＩ信号に対応した基準データを表示イメージ通りに格納するステップと、
該評価対象機器に接続されたＤＶＩケーブルを介して、シリアルのＤＶＩ信号を入力するステップと、
前記シリアルのＤＶＩ信号をパラレルのＤＶＩ信号に変換するステップと、
前記変換ステップで変換されたパラレルのＤＶＩ信号を比較手段へ入力するステップと、
前記比較手段へ予め格納されている基準データを読み出すステップと、
前記比較手段で前記基準データと前記パラレルのＤＶＩ信号とを比較して正誤判定し、かつ、誤結果をカウントする判定ステップと
前記判定ステップによる誤結果のカウント値を保存するステップと
を含むことを特徴とするＤＶＩ信号評価方法が提供される。
【発明の効果】
【００２０】
本発明によれば、専用の測定機器を使用することなく、最終的にディスプレイ上に入力されるパラレルのＤＶＩ信号自体を、各信号をそれぞれ同時に比較、検討し評価することができる高精度のＤＶＩ信号評価をおこなうことができる。
【発明を実施するための最良の形態】
【００２１】
以下、本発明のＤＶＩ信号評価装置と信号評価方法についての実施形態を、図面を参照して説明する。
【００２２】
図１は、本発明のＤＶＩ信号評価装置による信号評価方法の構成の一実施形態を示す機能ブロック図である。
【００２３】
測定の際に、例えばパソコン等のＤＶＩ信号の評価対象機器１とＤＶＩ信号評価装置２（以下、単に信号評価装置２という）は、ＤＶＩ規格に準拠したＤＶＩケーブル３により接続されている。
【００２４】
信号評価装置２は、入力側としてＤＶＩケーブル３を介して評価対象機器１からのシリアルのＤＶＩ信号を信号評価装置２に入力するレシーバ４が設けられている。レシーバ４はプロブラミングすることができるＬＳＩであるＦＰＧＡ（Ｆｉｅｌｄ  Ｐｒｏｇｒａｍｍａｂｌｅ  Ｇａｔｅ  Ａｒｒａｙ）５と接続している。
【００２５】
ＦＰＧＡ５には、レシーバ４からのＲ、Ｇ、Ｂに分離されたパラレルのＤＶＩ信号を入力して、入力したＤＶＩ信号とメモリＡ（第１メモリ）６に予め格納されている基準データとを比較する比較回路７と、この比較回路７と接続され、比較回路７での正誤判定を実施した判定結果を入力するカウンタ８とが形成されている。また、このカウンタ８は正誤判定結果をカウンタ８にてカウントし、出力側がカウンタ８からの出力である正誤判定結果を入力するメモリＢ（第２メモリ）９と接続されている。メモリＢ９はカウンタ８からの出力である正誤判定結果を保存する。
【００２６】
基準データは、評価するＤＶＩ信号に応じて、都度、第１メモリに書き込まれるもので、ディスプレイ上での表示状態に対応している。すなわち、全画面にわたって赤（Ｒ）色を表示させる場合には、第１メモリには、赤（Ｒ）のデータだけが書き込まれる。また、緑（Ｇ）色を背景としてＡという文字を青（Ｂ）色で、表示させる場合には、第１メモリにおいて、背景に該当するメモリ領域には、緑（Ｇ）色のデータが書き込まれ、Ａという文字の表示位置に該当するメモリ領域には、青（Ｂ）色のデータが書き込まれる。
【００２７】
次に、図２のフローチャートを参照して、上述の構成を有する信号評価装置を用いた、ＤＶＩ信号の信号評価方法のステップについて説明する。なお、各部の名称と符号は図１で用いたものを援用している。
【００２８】
まず、評価対象の評価対象機器１をＤＶＩケーブル３により信号評価装置２に接続し、評価対象機器１からシリアルのＤＶ１信号を信号評価装置２に入力する（ステップＳ１）。
【００２９】
次に、シリアルのＤＶ１信号が入力された信号評価装置２のレシーバ４は、シリアルのＤＶ１信号を、パラレルのＤＶ１信号に変換する（変換ステップ）（ステップＳ２）。
【００３０】
次に、変換されたパラレルのＤＶ１信号は、比較回路７が形成されているＦＰＧＡ５に入力される（読み出しステップ）（ステップＳ３）。
【００３１】
次に、比較回路７がメモリＡ６より、予めメモリＡ６に格納されている基準データを読み出す（読み出しステップ）（ステップＳ４）。
【００３２】
次に、比較回路７で、パラレルのＤＶ１信号と基準データとが比較されて、正誤判定される（判定ステップ）（ステップＳ５）。
【００３３】
比較回路７における正誤判定については、図３に示す正誤判定機能の概要図により説明する。
【００３４】
比較回路７に入力されたＤＶＩ信号２１を、赤（Ｒ）：８ビット，緑（Ｇ）：８ビット，青（Ｂ）：８ビットから成る１ピクセルあたり２４ビットのデータとする。まず、ＤＶＩ信号の１ピクセルにおけるＲ，Ｇ，Ｂの先頭１ビット目のデータ２３を取り出し、次に対象となる基準データ２２の１ピクセルにおけるＲ，Ｇ，Ｂの先頭１ビット目のデータ２４を取り出す。取り出した双方のＲとＧとＢとを、それぞれの１ビットのデータを比較回路７で比較する(２４、２５、２６）。
【００３５】
比較の結果、同じデータであれば「正」、違うデータであれば「誤」と判定する。
【００３６】
以下同様に、２ビット目を１ビット目と同様に比較し、正誤判定を実施する。
【００３７】
次に、比較回路７での正誤判定により、順次ビット単位でのＲ，Ｇ，Ｂそれぞれにおける「誤」のカウント値の判定結果をカウンタ８にてカウントする（判定ステップ）（ステップＳ６）。
【００３８】
次に、カウンタ８によりカウントされたカウント値をメモリＢ９に書き込み保存する（書き込みステップ）（ステップＳ７）。
【００３９】
これらの各ステップによるＤＶＩ信号の信号比較方法によれば、１ピクセルにおけるＲ、Ｇ、Ｂそれぞれの基準となるデータと１ビット単位で比較し、エラー数をカウントしている。したがって、一般的なＵＸＧＡ（Ｕｌｔｒａ  ｅＸｔｅｎｄｅｄ  Ｇｒａｐｈｉｃｓ  Ａｒｒａｙ；１６００×１２００ピクセルの解像度）の画面を対象とするＤＶＩ信号を扱えば、わずか１７秒弱で１０億回の測定を実施したことになり、ＤＶＩの仕様に規定されている１０−９ピクセル・エラー・レートを正確に求めることができる。
【００４０】
また、水平同期信号、垂直同期信号を利用することで、画面の特定座標におけるノイズや、ノイズとなりやすいＲＧＢのビット列を見つけることが可能となり、機器の設計のノイズ対策に活かすことができる。
【００４１】
また、信号評価装置２は、ＦＰＧＡ５にＤＶＩ評価機能を組み込むことで専用の測定機器を必要としない。
【００４２】
また、ＤＶＩ信号波形自体を評価するのではなく、ＤＶＩ信号のデータをビット単位で正誤検証することで、１０億回の測定回数を可能とし、精度の高いＤＶＩ信号評価を実施できる。また、従来ではできなかったパラレルのＤＶＩ信号それぞれ同時に比較、検討し評価することができる。
【００４３】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４４】
【図１】本発明のＤＶＩ信号評価装置による信号評価方法の構成の一実施形態を示す機能ブロック図。
【図２】本発明のＤＶＩ信号の信号評価方法のステップを示すフローチャート。
【図３】本発明のＤＶＩ信号評価装置で用いられている比較回路での正誤判定機能の概要図。
【符号の説明】
【００４５】
１…評価対象機器、２…信号評価装置、３…ＤＶＩケーブル、４…レシーバ、５…ＦＰＧＡ、６…メモリＡ、７…比較回路、８…カウンタ、９…メモリＢ。
【図１】
2008022440.tif 000003
【図２】
2008022440.tif 000004
【図３】
2008022440.tif 000005